(57)【要約】【課題】衣類に付加されている微小ＩＣチップ等の記憶部を活用して、洗濯する衣類の記憶部の情報だけを読取って適切に洗濯できる洗濯機を提供しようとするものである。【解決手段】槽３に投入された各衣類に付加されている微小ＩＣチップ６から衣類の重量を無線で読取る読取り部７と、この読取り部７で読取った各衣類の重量を合計してこの合計衣類重量に基づいて洗濯運転条件を決定する洗濯運転条件決定部（Ｓ６ステップ）と、この洗濯運転条件決定部にて決定された洗濯運転条件に基づいて洗濯運転を実行する洗濯運転実行部（Ｓ７ステップ）とを有する。【選択図】        図３
2004173729.tif 000002
【特許請求の範囲】
【請求項１】
衣類の重量等の衣類情報が電子的に書き込まれた衣類情報記憶部が付加された衣類を洗濯槽内にて洗濯する洗濯機であって、前記洗濯槽に投入された各衣類に付加されている前記衣類情報記憶部から衣類の重量を無線で読取る読取り部と、この読取り部で読取った各衣類の重量を合計してこの合計衣類重量に基づいて洗濯運転条件を決定する洗濯運転条件決定部と、この洗濯運転条件決定部にて決定された洗濯運転条件に基づいて洗濯運転を実行する洗濯運転実行部とを有することを特徴とする洗濯機。
【請求項２】
衣類情報が電子的に書き込まれた衣類情報記憶部が付加された衣類を洗濯槽内にて洗濯する洗濯機であって、洗濯運転スタート操作に基づいて前記洗濯槽に投入された各衣類に付加されている前記衣類情報記憶部から衣類情報を無線で読取る読取り部と、この読取り部で読取った衣類情報に基づいて洗濯運転条件を決定する洗濯運転条件決定部と、この洗濯運転条件決定部にて決定された洗濯運転条件に基づいて洗濯運転を実行する洗濯運転実行部とを有することを特徴とする洗濯機。
【請求項３】
衣類の質等の衣類情報が電子的に書き込まれた衣類情報記憶部が付加された衣類を洗濯槽内にて洗濯する洗濯機であって、前記洗濯槽に投入された各衣類に付加されている前記衣類情報記憶部から衣類の質を無線で読取る読取り部と、この読取り部で読取った各衣類の質から最適な洗濯運転条件を決定する洗濯運転条件決定部と、この洗濯運転条件決定部にて決定された洗濯運転条件に基づいて洗濯運転を実行する洗濯運転実行部とを有することを特徴とする洗濯機。
【請求項４】
衣類情報が電子的に書き込まれた衣類情報記憶部が付加された衣類を洗濯槽内にて洗濯する洗濯機であって、前記洗濯槽に投入された各衣類に付加されている前記衣類情報記憶部から衣類情報を無線で読取る読取り部と、この読取り部で読取った衣類情報に基づいて洗濯運転条件を決定する洗濯運転条件決定部と、この洗濯運転条件決定部にて決定された洗濯運転条件に基づいて洗濯運転を実行する洗濯運転実行部と、前記読取り部で読取った衣類情報から、前記洗濯槽に投入された衣類の中に、特定洗濯条件以外での洗濯を不適とする衣類があるか否かを判定する不適衣類判定部と、この不適衣類判定部が不適衣類を判定すると、洗濯運転を禁止するとともに当該不適衣類名を表示する不適衣類表示部とを有することを特徴とする洗濯機。
【請求項５】
衣類情報が電子的に書き込まれた衣類情報記憶部が付加された衣類を洗濯槽内にて洗濯する洗濯機であって、前記洗濯槽に投入された各衣類に付加されている前記衣類情報記憶部から衣類情報を無線で読取る読取り部と、この読取り部で読取った衣類情報に基づいて洗濯運転条件を決定する洗濯運転条件決定部と、この洗濯運転条件決定部にて決定された洗濯運転条件に基づいて洗濯運転を実行する洗濯運転実行部と、前記読取り部で読取った衣類情報から、前記洗濯槽に投入された衣類の中に、攪拌洗濯を不適とする衣類があるか否かを判定する不適衣類判定部と、この不適衣類判定部が攪拌洗濯不適衣類を判定すると、前記洗濯槽を回転させて衣類を張り付かせる状態にて洗濯を行う遠心洗濯運転を実行する遠心洗濯運転実行部とを有することを特徴とする洗濯機。
【請求項６】
衣類情報が電子的に書き込まれた衣類情報記憶部が付加された衣類を洗濯槽内にて洗濯する洗濯機であって、前記洗濯槽に投入された各衣類に付加されている前記衣類情報記憶部から衣類情報を無線で読取る読取り部と、洗濯終了後、前記読取り部で衣類情報を読取った場合、前記洗濯槽内に衣類が取り出し忘れられていると判定する取出し忘れ判定部と、この取出し忘れ判定部が衣類取り出し忘れを判定すると、報知する取り出し忘れ報知部とを有することを特徴とする洗濯機。
【請求項７】
衣類の重量等の衣類情報が電子的に書き込まれた衣類情報記憶部が付加された衣類を乾燥槽内にて乾燥する乾燥機であって、前記乾燥槽に投入された各衣類に付加されている前記衣類情報記憶部から衣類の重量を無線で読取る読取り部と、この読取り部で読取った各衣類の重量を合計してこの合計衣類重量に基づいて乾燥運転条件を決定する乾燥運転条件決定部と、この乾燥運転条件決定部にて決定された乾燥運転条件に基づいて乾燥運転を実行する乾燥運転実行部とを有することを特徴とする乾燥機。
【請求項８】
衣類情報が電子的に書き込まれた衣類情報記憶部が付加された衣類を乾燥槽内にて乾燥する乾燥機であって、乾燥運転スタート操作に基づいて前記乾燥槽に投入された各衣類に付加されている前記衣類情報記憶部から衣類情報を無線で読取る読取り部と、この読取り部で読取った衣類情報に基づいて乾燥運転条件を決定する乾燥運転条件決定部と、この乾燥運転条件決定部にて決定された乾燥運転条件に基づいて乾燥運転を実行する乾燥運転実行部とを有することを特徴とする乾燥機。
【請求項９】
衣類の質等の衣類情報が電子的に書き込まれた衣類情報記憶部が付加された衣類を乾燥槽内にて乾燥する乾燥機であって、前記乾燥槽に投入された各衣類に付加されている前記衣類情報記憶部から衣類の質を無線で読取る読取り部と、この読取り部で読取った各衣類の質から最適な乾燥運転条件を決定する乾燥運転条件決定部と、この乾燥運転条件決定部にて決定された乾燥運転条件に基づいて乾燥運転を実行する乾燥運転実行部とを有することを特徴とする乾燥機。
【請求項１０】
衣類情報が電子的に書き込まれた衣類情報記憶部が付加された衣類を乾燥槽内にて乾燥する乾燥機であって、前記乾燥槽に投入された各衣類に付加されている前記衣類情報記憶部から衣類情報を無線で読取る読取り部と、この読取り部で読取った衣類情報に基づいて乾燥運転条件を決定する乾燥運転条件決定部と、この乾燥運転条件決定部にて決定された乾燥運転条件に基づいて乾燥運転を実行する乾燥運転実行部と、前記読取り部で読取った衣類情報から、前記乾燥槽に投入された衣類の中に、特定乾燥条件以外での乾燥を不適とする衣類があるか否かを判定する不適衣類判定部と、この不適衣類判定部が不適衣類を判定すると、乾燥運転を禁止するとともに当該不適衣類名を表示する不適衣類表示部とを有することを特徴とする乾燥機。
【請求項１１】
衣類情報が電子的に書き込まれた衣類情報記憶部が付加された衣類を乾燥槽内にて乾燥する乾燥機であって、前記乾燥槽に投入された各衣類に付加されている前記衣類情報記憶部から衣類情報を無線で読取る読取り部と、この読取り部で読取った衣類情報に基づいて乾燥運転条件を決定する乾燥運転条件決定部と、この乾燥運転条件決定部にて決定された乾燥運転条件に基づいて乾燥運転を実行する乾燥運転実行部と、前記読取り部で読取った衣類情報から、前記乾燥槽に投入された衣類の中に、攪拌乾燥を不適とする衣類があるか否かを判定する不適衣類判定部と、この不適衣類判定部が攪拌乾燥不適衣類を判定すると、前記乾燥槽を回転させて衣類を張り付かせる状態にて乾燥を行う遠心乾燥運転を実行する遠心乾燥運転実行部とを有することを特徴とする乾燥機。
【請求項１２】
衣類情報が電子的に書き込まれた衣類情報記憶部が付加された衣類を乾燥槽内にて乾燥する乾燥機であって、前記乾燥槽に投入された各衣類に付加されている前記衣類情報記憶部から衣類情報を無線で読取る読取り部と、乾燥終了後、前記読取り部で衣類情報を読取った場合、前記乾燥槽内に衣類が取り出し忘れられていると判定する取出し忘れ判定部と、この取出し忘れ判定部が衣類取り出し忘れを判定すると、報知する取り出し忘れ報知部とを有することを特徴とする乾燥機。
【請求項１３】
複数の洗濯機が設置されている店舗におけるランドリー店システムにおいて、顧客により店舗内に持ち込まれた衣類に付加されている衣類情報記憶部から衣類情報を無線でまとめて読取る読取り部と、この読取り部で読取った衣類情報に基づいて持ち込まれた衣類の合計重量を算出し、この合計重量に適した洗濯機を顧客に表示する洗濯機表示部とを有することを特徴とするランドリー店システム。
【発明の詳細な説明】
【０００１】
【発明の属する技術分野】
本発明は、衣類に付加されている衣類情報記憶部を有効に活用した、洗濯機や乾燥機やランドリー店システムに関する。
【０００２】
【従来の技術】
最近は電子的に情報を記憶する微小ＩＣチップ等の記憶部が開発されており、このような記憶部を活用して衣類を洗濯する洗濯機が考えられている。（例えば、特許文献１参照。）。
【０００３】
具体的には、例えば洗濯条件、衣類の質（木綿・化繊・ウール等の区別）、衣類の重量等の電子情報が記憶されたＩＣチップが付加された衣類が洗濯機に近づくと、洗濯機は無線でＩＣチップの情報を読取り、読取った情報に基づいて洗濯条件を決定して洗濯運転を実行する。
【０００４】
【特許文献１】
特開２００２−１９６６７２号公報（第３−５頁、第２図）
【０００５】
【発明が解決しようとする課題】
しかしながら、この洗濯機においては、１つの衣類を洗濯する場合の構成しか示されていない。従って、多数の衣類を洗濯する場合、どのようにして各衣類の情報に基づいて洗濯するのかが不明である。
【０００６】
また、洗濯機は近づいた衣類の情報を読取る構成であるため、洗濯機を扱う人が着ている衣類（この衣類は洗濯されない）の情報まで読取ってしまう恐れがある。
【０００７】
本発明は、かかる実情に鑑み考え出されたものであり、衣類に付加されている微小ＩＣチップ等の記憶部を活用して複数の衣類の記憶部から情報を読取って適切に洗濯できる洗濯機を提供しようとするものである。
【０００８】
更に、洗濯する衣類の記憶部の情報だけを読取って間違いなく洗濯できるようにした洗濯機を提供しようとするものである。
【０００９】
更に、ランドリー店に対しては、ランドリー店に持ち込まれる衣類に付加されている記憶部の情報を活用して革新的なランドリー店システムを提供しようとするものである。
【００１０】
【課題を解決するための手段及びその効果】
本発明の請求項１の発明は、衣類の重量等の衣類情報が電子的に書き込まれた衣類情報記憶部が付加された衣類を洗濯槽内にて洗濯する洗濯機であって、前記洗濯槽に投入された各衣類に付加されている前記衣類情報記憶部から衣類の重量を無線で読取る読取り部と、この読取り部で読取った各衣類の重量を合計してこの合計衣類重量に基づいて洗濯運転条件を決定する洗濯運転条件決定部と、この洗濯運転条件決定部にて決定された洗濯運転条件に基づいて洗濯運転を実行する洗濯運転実行部とを有することを特徴とする。
【００１１】
この構成によれば、洗濯槽内に投入された各衣類の記憶部から各衣類の重量を読取って合計し、この合計衣類重量に基づいて洗濯運転条件（洗濯時間、洗濯水量、洗濯水流の強さ等）を決定して洗濯することにより、複数の衣類を適切に洗濯できる。
【００１２】
また、洗濯槽内に投入された衣類の記憶部の情報のみを読取るため、例えば洗濯機を扱う人が着ている衣類（この衣類は洗濯されない）の情報まで読取ってしまうことがない。
【００１３】
請求項２の発明は、衣類情報が電子的に書き込まれた衣類情報記憶部が付加された衣類を洗濯槽内にて洗濯する洗濯機であって、洗濯運転スタート操作に基づいて前記洗濯槽に投入された各衣類に付加されている前記衣類情報記憶部から衣類情報を無線で読取る読取り部と、この読取り部で読取った衣類情報に基づいて洗濯運転条件を決定する洗濯運転条件決定部と、この洗濯運転条件決定部にて決定された洗濯運転条件に基づいて洗濯運転を実行する洗濯運転実行部とを有することを特徴とする。
【００１４】
この構成によれば、洗濯槽内に投入された各衣類の記憶部から各衣類の情報を読取って、これら衣類の情報に基づいて洗濯運転条件（洗濯時間、洗濯水量、洗濯水流の強さ等）を決定して洗濯することにより、複数の衣類を適切に洗濯できる。
【００１５】
また、洗濯槽内に投入された衣類の記憶部の情報のみを読取るため、例えば洗濯機を扱う人が着ている衣類（この衣類は洗濯されない）の情報まで読取ってしまうことがない。
【００１６】
しかも、洗濯運転スタート操作後に読取るため、洗濯槽に間違って投入したために直ちに取り出したような衣類に対しては、その記憶部の情報を読取ることはなく、洗濯する衣類の情報のみを確実に読取ることができる。
【００１７】
請求項３の発明は、衣類の質等の衣類情報が電子的に書き込まれた衣類情報記憶部が付加された衣類を洗濯槽内にて洗濯する洗濯機であって、前記洗濯槽に投入された各衣類に付加されている前記衣類情報記憶部から衣類の質を無線で読取る読取り部と、この読取り部で読取った各衣類の質から最適な洗濯運転条件を決定する洗濯運転条件決定部と、この洗濯運転条件決定部にて決定された洗濯運転条件に基づいて洗濯運転を実行する洗濯運転実行部とを有することを特徴とする。
【００１８】
この構成によれば、洗濯槽内に投入された各衣類の記憶部から各衣類の質を読取って、平均的な衣類の質を判断し最適な洗濯運転条件（洗濯時間、洗濯水量、洗濯水流の強さ等）を決定して洗濯することにより、複数の衣類を適切に洗濯できる。
【００１９】
また、洗濯槽内に投入された衣類の記憶部の情報のみを読取るため、例えば洗濯機を扱う人が着ている衣類（この衣類は洗濯されない）の情報まで読取ってしまうことがない。
【００２０】
請求項４の発明は、衣類情報が電子的に書き込まれた衣類情報記憶部が付加された衣類を洗濯槽内にて洗濯する洗濯機であって、前記洗濯槽に投入された各衣類に付加されている前記衣類情報記憶部から衣類情報を無線で読取る読取り部と、この読取り部で読取った衣類情報に基づいて洗濯運転条件を決定する洗濯運転条件決定部と、この洗濯運転条件決定部にて決定された洗濯運転条件に基づいて洗濯運転を実行する洗濯運転実行部と、前記読取り部で読取った衣類情報から、前記洗濯槽に投入された衣類の中に、特定洗濯条件以外での洗濯を不適とする衣類があるか否かを判定する不適衣類判定部と、この不適衣類判定部が不適衣類を判定すると、洗濯運転を禁止するとともに当該不適衣類名を表示する不適衣類表示部とを有することを特徴とする。
【００２１】
この構成によれば、洗濯槽内に投入された各衣類の記憶部から各衣類の情報を読取って、これら衣類の情報に基づいて洗濯運転条件（洗濯時間、洗濯水量、洗濯水流の強さ等）を決定して洗濯することにより、複数の衣類を適切に洗濯できる。
【００２２】
また、洗濯槽内に投入された衣類の記憶部の情報のみを読取るため、例えば洗濯機を扱う人が着ている衣類（この衣類は洗濯されない）の情報まで読取ってしまうことがない。
【００２３】
また、特定洗濯条件以外での洗濯を不適とする衣類（例えば、毛皮類）が洗濯槽内に投入された場合は、洗濯を禁止するとともに、当該衣類の記憶部から読取った情報に基づいて当該衣類名を表示する。これにより、洗濯機を扱う人は、取り出すべき洗濯不適衣類を直ちに取り出すことができる。
【００２４】
請求項５の発明は、衣類情報が電子的に書き込まれた衣類情報記憶部が付加された衣類を洗濯槽内にて洗濯する洗濯機であって、前記洗濯槽に投入された各衣類に付加されている前記衣類情報記憶部から衣類情報を無線で読取る読取り部と、この読取り部で読取った衣類情報に基づいて洗濯運転条件を決定する洗濯運転条件決定部と、この洗濯運転条件決定部にて決定された洗濯運転条件に基づいて洗濯運転を実行する洗濯運転実行部と、前記読取り部で読取った衣類情報から、前記洗濯槽に投入された衣類の中に、攪拌洗濯を不適とする衣類があるか否かを判定する不適衣類判定部と、この不適衣類判定部が攪拌洗濯不適衣類を判定すると、前記洗濯槽を回転させて衣類を張り付かせる状態にて洗濯を行う遠心洗濯運転を実行する遠心洗濯運転実行部とを有することを特徴とする。
【００２５】
この構成によれば、洗濯槽内に投入された各衣類の記憶部から各衣類の情報を読取って、これら衣類の情報に基づいて洗濯運転条件（洗濯時間、洗濯水量、洗濯水流の強さ等）を決定して洗濯することにより、複数の衣類を適切に洗濯できる。
【００２６】
また、洗濯槽内に投入された衣類の記憶部の情報のみを読取るため、例えば洗濯機を扱う人が着ている衣類（この衣類は洗濯されない）の情報まで読取ってしまうことがない。
【００２７】
また、攪拌洗濯を不適とする衣類（例えば、高級ランジェリー）が洗濯槽内に投入された場合は、遠心洗濯を行うから、攪拌洗濯不適衣類が不所望に傷むのを抑制できる。
【００２８】
請求項６の発明は、衣類情報が電子的に書き込まれた衣類情報記憶部が付加された衣類を洗濯槽内にて洗濯する洗濯機であって、前記洗濯槽に投入された各衣類に付加されている前記衣類情報記憶部から衣類情報を無線で読取る読取り部と、洗濯終了後、前記読取り部で衣類情報を読取った場合、前記洗濯槽内に衣類が取り出し忘れられていると判定する取出し忘れ判定部と、この取出し忘れ判定部が衣類取り出し忘れを判定すると、報知する取り出し忘れ報知部とを有することを特徴とする。
【００２９】
この構成によれば、洗濯終了後の衣類の取り出し忘れを顕著に抑制できる。
【００３０】
請求項７の発明は、衣類の重量等の衣類情報が電子的に書き込まれた衣類情報記憶部が付加された衣類を乾燥槽内にて乾燥する乾燥機であって、前記乾燥槽に投入された各衣類に付加されている前記衣類情報記憶部から衣類の重量を無線で読取る読取り部と、この読取り部で読取った各衣類の重量を合計してこの合計衣類重量に基づいて乾燥運転条件を決定する乾燥運転条件決定部と、この乾燥運転条件決定部にて決定された乾燥運転条件に基づいて乾燥運転を実行する乾燥運転実行部とを有することを特徴とする。
【００３１】
この構成によれば、乾燥槽内に投入された各衣類の記憶部から各衣類の重量を読取って合計し、この合計衣類重量に基づいて乾燥運転条件（乾燥時間等）を決定して乾燥することにより、複数の衣類を適切に乾燥できる。
【００３２】
また、乾燥槽内に投入された衣類の記憶部の情報のみを読取るため、例えば乾燥機を扱う人が着ている衣類（この衣類は乾燥されない）の情報まで読取ってしまうことがない。
【００３３】
請求項８の発明は、衣類情報が電子的に書き込まれた衣類情報記憶部が付加された衣類を乾燥槽内にて乾燥する乾燥機であって、乾燥運転スタート操作に基づいて前記乾燥槽に投入された各衣類に付加されている前記衣類情報記憶部から衣類情報を無線で読取る読取り部と、この読取り部で読取った衣類情報に基づいて乾燥運転条件を決定する乾燥運転条件決定部と、この乾燥運転条件決定部にて決定された乾燥運転条件に基づいて乾燥運転を実行する乾燥運転実行部とを有することを特徴とする。
【００３４】
この構成によれば、乾燥槽内に投入された各衣類の記憶部から各衣類の情報を読取って、これら衣類の情報に基づいて乾燥運転条件（乾燥時間等）を決定して乾燥することにより、複数の衣類を適切に乾燥できる。
【００３５】
また、乾燥槽内に投入された衣類の記憶部の情報のみを読取るため、例えば乾燥機を扱う人が着ている衣類（この衣類は乾燥されない）の情報まで読取ってしまうことがない。
【００３６】
しかも、乾燥運転スタート操作後に読取るため、乾燥槽に間違って投入したために直ちに取り出したような衣類に対しては、その記憶部の情報を読取ることはなく、乾燥する衣類の情報のみを確実に読取ることができる。
【００３７】
請求項９の発明は、衣類の質等の衣類情報が電子的に書き込まれた衣類情報記憶部が付加された衣類を乾燥槽内にて乾燥する乾燥機であって、前記乾燥槽に投入された各衣類に付加されている前記衣類情報記憶部から衣類の質を無線で読取る読取り部と、この読取り部で読取った各衣類の質から最適な乾燥運転条件を決定する乾燥運転条件決定部と、この乾燥運転条件決定部にて決定された乾燥運転条件に基づいて乾燥運転を実行する乾燥運転実行部とを有することを特徴とする。
【００３８】
この構成によれば、乾燥槽内に投入された各衣類の記憶部から各衣類の質を読取って、平均的な衣類の質を判断し最適な乾燥運転条件（乾燥時間等）を決定して乾燥することにより、複数の衣類を適切に乾燥できる。
【００３９】
また、乾燥槽内に投入された衣類の記憶部の情報のみを読取るため、例えば乾燥機を扱う人が着ている衣類（この衣類は乾燥されない）の情報まで読取ってしまうことがない。
【００４０】
請求項１０の発明は、衣類情報が電子的に書き込まれた衣類情報記憶部が付加された衣類を乾燥槽内にて乾燥する乾燥機であって、前記乾燥槽に投入された各衣類に付加されている前記衣類情報記憶部から衣類情報を無線で読取る読取り部と、この読取り部で読取った衣類情報に基づいて乾燥運転条件を決定する乾燥運転条件決定部と、この乾燥運転条件決定部にて決定された乾燥運転条件に基づいて乾燥運転を実行する乾燥運転実行部と、前記読取り部で読取った衣類情報から、前記乾燥槽に投入された衣類の中に、特定乾燥条件以外での乾燥を不適とする衣類があるか否かを判定する不適衣類判定部と、この不適衣類判定部が不適衣類を判定すると、乾燥運転を禁止するとともに当該不適衣類名を表示する不適衣類表示部とを有することを特徴とする。
【００４１】
この構成によれば、乾燥槽内に投入された各衣類の記憶部から各衣類の情報を読取って、これら衣類の情報に基づいて乾燥運転条件（乾燥時間等）を決定して乾燥することにより、複数の衣類を適切に乾燥できる。
【００４２】
また、乾燥槽内に投入された衣類の記憶部の情報のみを読取るため、例えば乾燥機を扱う人が着ている衣類（この衣類は乾燥されない）の情報まで読取ってしまうことがない。
【００４３】
また、特定乾燥条件以外での乾燥を不適とする衣類（例えば、毛皮類）が乾燥槽内に投入された場合は、乾燥を禁止するとともに、当該衣類の記憶部から読取った情報に基づいて当該衣類名を表示する。これにより、乾燥機を扱う人は、取り出すべき乾燥不適衣類を直ちに取り出すことができる。
【００４４】
請求項１１の発明は、衣類情報が電子的に書き込まれた衣類情報記憶部が付加された衣類を乾燥槽内にて乾燥する乾燥機であって、前記乾燥槽に投入された各衣類に付加されている前記衣類情報記憶部から衣類情報を無線で読取る読取り部と、この読取り部で読取った衣類情報に基づいて乾燥運転条件を決定する乾燥運転条件決定部と、この乾燥運転条件決定部にて決定された乾燥運転条件に基づいて乾燥運転を実行する乾燥運転実行部と、前記読取り部で読取った衣類情報から、前記乾燥槽に投入された衣類の中に、攪拌乾燥を不適とする衣類があるか否かを判定する不適衣類判定部と、この不適衣類判定部が攪拌乾燥不適衣類を判定すると、前記乾燥槽を回転させて衣類を張り付かせる状態にて乾燥を行う遠心乾燥運転を実行する遠心乾燥運転実行部とを有することを特徴とする。
【００４５】
この構成によれば、乾燥槽内に投入された各衣類の記憶部から各衣類の情報を読取って、これら衣類の情報に基づいて乾燥運転条件（乾燥時間等）を決定して乾燥することにより、複数の衣類を適切に乾燥できる。
【００４６】
また、乾燥槽内に投入された衣類の記憶部の情報のみを読取るため、例えば乾燥機を扱う人が着ている衣類（この衣類は乾燥されない）の情報まで読取ってしまうことがない。
【００４７】
また、攪拌乾燥を不適とする衣類（例えば、高級ランジェリー）が乾燥槽内に投入された場合は、遠心乾燥を行うから、攪拌乾燥不適衣類が不所望に傷むのを抑制できる。
【００４８】
請求項１２の発明は、衣類情報が電子的に書き込まれた衣類情報記憶部が付加された衣類を乾燥槽内にて乾燥する乾燥機であって、前記乾燥槽に投入された各衣類に付加されている前記衣類情報記憶部から衣類情報を無線で読取る読取り部と、乾燥終了後、前記読取り部で衣類情報を読取った場合、前記乾燥槽内に衣類が取り出し忘れられていると判定する取出し忘れ判定部と、この取出し忘れ判定部が衣類取り出し忘れを判定すると、報知する取り出し忘れ報知部とを有することを特徴とする。
【００４９】
この構成によれば、乾燥終了後の衣類の取り出し忘れを顕著に抑制できる。
【００５０】
請求項１３の発明は、複数の洗濯機が設置されている店舗におけるランドリー店システムにおいて、顧客により店舗内に持ち込まれた衣類に付加されている衣類情報記憶部から衣類情報を無線でまとめて読取る読取り部と、この読取り部で読取った衣類情報に基づいて持ち込まれた衣類の合計重量を算出し、この合計重量に適した洗濯機を顧客に表示する洗濯機表示部とを有することを特徴とする。
【００５１】
この構成によれば、顧客は、ランドリー店にて、持ち込んだ衣類の合計重量に適した洗濯機を直ちに把握でき、当該洗濯機での洗濯を簡単に行うことができる。ランドリー店のオーナーにとっては、顧客の利便性を向上でき革新的な店舗展開を行える。
【００５２】
【発明の実施の形態】
以下、本発明の一実施例である洗濯乾燥機を図面に基づいて説明する。図１は本発明の一実施例である洗濯乾燥機の断面を示す。洗濯乾燥機枠１内には外槽２が設けられており、この外槽２内に洗濯・脱水・乾燥槽３が配置されている。この槽３は、多数の脱水孔が形成されているとともに横軸にて回転自在に支持されており、ＤＤ（ダイレクトドライブ）モータ４にて回転駆動される。前記槽３への衣類投入は前面ドア５を開放することにより行うことができる。また、前記ドア５または機枠１において槽３の衣類投入口に近い箇所には、衣類に付加されている（埋め込まれている）衣類情報記憶部である微小ＩＣチップ６の情報を無線で読取る読取り部７が設けられている。微小ＩＣチップ６は例えば衣類の首周りに縫い付けられている商品タグに埋め込まれている。そして、ＩＣチップ６には、例えば当該衣類固有の識別情報、洗濯条件（例えば、ドライクリーニングのみ）、乾燥条件（例えば、陰干しのみ）、衣類の質（木綿・化繊・ウール等の区別）、衣類の重量等の電子情報が予め記憶されている。
【００５３】
図２は洗濯乾燥機のブロック回路を示す。マイクロコンピュータからなる制御部８は、前記読取り部７と、前記機枠１の前面上部に設けられた操作部９とからの情報に基づいて、前記モータ４と、表示部１０と、ブザー（報知部）１１とを制御する。
【００５４】
図３は前記制御部８による制御の流れを示す。この図に基づいて、洗濯乾燥機の動作を説明する。洗濯乾燥するために、複数の衣類を槽３内に投入し、操作部９にて洗濯乾燥運転スタートキーを操作する（Ｓ１ステップ）。すると、読取り部７が、槽３内に投入されている各衣類に埋め込まれているチップ６の情報のみを無線で瞬時に読取る。具体的には、衣類固有識別情報に基づいて各衣類を区別し、各衣類の洗濯条件、乾燥条件、質及び量を読取る（Ｓ２ステップ）。
【００５５】
そして、読取った各衣類の洗濯条件及び乾燥条件に基づいて、槽３内に投入された衣類の中に特定洗濯乾燥条件以外での洗濯乾燥を不適とする衣類（毛皮類など）があるか否かを判定する（Ｓ３ステップ：不適衣類判定部）。即ち、この洗濯乾燥機で洗濯乾燥できない衣類があるか否かを判定する。
【００５６】
不適衣類があると判定すると、洗濯乾燥運転を禁止するとともに、当該不適衣類名を衣類固有識別情報に基づいて表示部１０に表示させる（Ｓ４ステップ：不適衣類表示部）。これにより、不適衣類を簡単に認識して取り出すことができる。
【００５７】
一方、不適衣類がないと判定すると、次は、投入された衣類の中に攪拌洗濯及び攪拌乾燥を不適とする衣類（高級ランジェリーなど）があるか否かを判定する（Ｓ５ステップ：別の不適衣類判定部）。
【００５８】
そして、攪拌を不適とする衣類がないと判定すると、各衣類から読取った量を合計して合計量を求め、且つ各衣類の質により投入された衣類の平均的な質を求め、合計量及び平均的質に基づいて通常の攪拌動作による最適な洗濯乾燥運転条件（洗濯時間、洗濯水量、洗濯水流の強さ、乾燥時間等）を瞬時に決定する（Ｓ６ステップ：洗濯乾燥運転条件決定部）。次いで、この決定された運転条件に基づいて攪拌洗濯乾燥運転を実行する（Ｓ７：洗濯乾燥運転実行部）。
【００５９】
一方、攪拌を不適とする衣類があると判定すると、各衣類から読取った量を合計して合計量を求め、且つ各衣類の質により投入された衣類の平均的な質を求め、合計量及び平均的質に基づいて遠心動作による最適な洗濯乾燥運転条件（洗濯時間、洗濯水量、洗濯水流の強さ、乾燥時間等）を瞬時に決定する（Ｓ８ステップ：別の洗濯乾燥運転条件決定部）。次いで、この決定された運転条件に基づいて遠心洗濯乾燥運転を実行する（Ｓ９：遠心洗濯乾燥運転実行部）。遠心洗濯乾燥運転においては、衣類が常に槽３に張り付く状態となるように槽３を回転数制御して回転させる。これにより、衣類が攪拌しないから、攪拌不適衣類が不所望に傷むのが抑制される。
【００６０】
洗濯乾燥運転が終了すると、ドア５を開放して衣類が取り出される。この場合、ドア開放後、衣類が取り出されるのに要する時間（数１０秒）が経過した時点で、槽３内に衣類が残っているか否かを判断する。即ち、槽３内に衣類が残っていると、読取り部７でこの衣類の情報が読取られ、この情報に基づいて衣類が取り出し忘れられていると判断する（Ｓ１０：取出し忘れ判定部）。取り出し忘れが判断されると、ブザー１１で報知する（Ｓ１１：取出し忘れ報知部）。
【００６１】
次に、本発明の他の実施例であるランドリー店システムについて図４を参照して説明する。ランドリー店舗の入口付近のカウンタには、衣類に付加されている（埋め込まれている）衣類情報記憶部である微小ＩＣチップ１２の情報を無線で読取る読取り部１３が設置けられている。微小ＩＣチップ１２は例えば衣類の首周りに縫い付けられている商品タグに埋め込まれている。そして、ＩＣチップ１２には、例えば当該衣類固有の識別情報、洗濯条件（例えば、ドライクリーニングのみ）、乾燥条件（例えば、陰干しのみ）、衣類の質（木綿・化繊・ウール等の区別）、衣類の重量等の電子情報が予め記憶されている。
【００６２】
そして、顧客は店舗内に入ると、持ち込んだ衣類をまとめてカウンタ上の所定の場所へ置く。すると、前記読取り部１３が、衣類に付いているチップ１２の情報を無線で読取る。尚、読取り部１３は所定の場所に置かれた各衣類のチップ１２の情報しか読取ることができない。
【００６３】
読取り部１３がこのように各衣類のチップ１２の情報を読取ると、制御部１４はこの読取った情報の中の各衣類の重量を合計して持ち込まれた衣類の合計重量を求める。そして、制御部１４は、店舗内の複数の洗濯機の中から、合計重量に適した洗濯容量を有する洗濯機を表示部１５で顧客に対して表示する。これにより、顧客は、持ち込んだ衣類の量に適した洗濯機を直ちに認識して、当該洗濯機のところへ行き、当該洗濯機へ衣類を投入して洗濯運転スタート操作を行う。ここに、この洗濯機は、合計衣類量や読取り部１３で読取った他の情報が制御部１４から転送されており、これら情報に基づいて洗濯運転条件を決定して洗濯運転を実行する。
【００６４】
ランドリー店のオーナーにとっては、顧客の利便性を向上できる。また、店に一度に持ち込まれる衣類の量や種類を統計処理することにより、今後どのような洗濯機を充実させれば良いかなどが分かる。よて、革新的な店舗展開を行える。
【００６５】
今回開示された実施の形態は全ての点で例示であって制限的なものではないと考えられるべきである。本発明の範囲は上記した説明ではなく特許請求の範囲によって示され特許請求の範囲と均等の意味及び範囲内での全ての変更が含まれることが意図される。
【図面の簡単な説明】
【図１】本発明の一実施例である洗濯乾燥機の断面図である。
【図２】同洗濯乾燥機のブロック回路図である。
【図３】同洗濯乾燥機の制御の流れを示すフローチャートである。
【図４】本発明の他の実施例であるランドリー店システムのブロック回路図である。
【符号の説明】
１      洗濯乾燥機枠
２      外槽
３      洗濯・脱水・乾燥槽
４      ＤＤモータ
５      前面ドア
６      微小ＩＣチップ
７      読取り部
８      制御部
９      操作部
１０    表示部
１１    ブザー
１２    微小ＩＣチップ
１３    読取り部
１４    制御部
１５    表示部
【図１】
2004173729.tif 000003
【図２】
2004173729.tif 000004
【図３】
2004173729.tif 000005
【図４】
2004173729.tif 000006